(57)【要約】      （修正有）【課題】要介護者の快適性および、安全で安定した排泄処理運転が可能な自動排泄処理装置を提供する。【解決手段】おむつカップ本体１と、おむつカップ本体１内部の排泄物および洗浄後の汚水を吸引手段の吸引力により汚水タンクユニット４に吸引する汚水吸引ホース２ａと、送風手段からおむつカップ本体１内部に空気を送風する送風ホース２ｂと、給水手段からおむつカップ本体１内部に洗浄水を送水する送水ホース２ｃを備え、おむつカップ本体１の背面部側に設けられている洗浄用温水の噴射ノズルは、おむつカップ本体１の前面部側に対して上向の噴射角度を有している。温風は、ポンプモータの冷却風を活用し、電気ヒータ等の特別な加熱装置を必要としない。【選択図】図１
0003144371.tif 000002
【実用新案登録請求の範囲】
【請求項１】
要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引ホースと、前記おむつカップ本体に一端が着脱自在に接続されると共に他端が送風手段側に接続されて、該送風手段から前記おむつカップ本体内部に空気を送風する送風ホースと、前記おむつカップ本体に一端が着脱自在に接続されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾燥させる自動排泄処理装置において、前記おむつカップ本体の背面部側に設けられている洗浄用温水の噴射ノズルが、要介護者の肛門部の洗浄を行なうための、前記おむつカップ本体の前面部側に対して上向の噴射角度を有していることを特徴とする自動排泄処理装置。
【請求項２】
要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引ホースと、前記おむつカップ本体に一端が着脱自在に接続されると共に他端が送風手段側に接続されて、該送風手段から前記おむつカップ本体内部に空気を送風する送風ホースと、前記おむつカップ本体に一端が着脱自在に接続されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾燥させる自動排泄処理装置において、前記おむつカップ本体内部に設けられているセンサと排泄物吸引口との間に、センサが洗浄後の水滴を誤って検知することを防止するための、前記おむつカップ本体に対して長さ方向の凸部が設けられていることを特徴とする自動排泄処理装置。
【請求項３】
要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引ホースと、前記おむつカップ本体に一端が着脱自在に接続されると共に他端が送風手段側に接続されて、該送風手段から前記おむつカップ本体内部に空気を送風する送風ホースと、前記おむつカップ本体に一端が着脱自在に接続されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾燥させる自動排泄処理装置において、前記送風手段における、ファンの仕事風およびモータの冷却風の送風経路がそれぞれ完全に独立して構成されており、温風の発生手段として、電気ヒータ等の特別な加熱装置を必要としないことを特徴とする自動排泄処理装置。
【請求項４】
要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引ホースと、前記おむつカップ本体に一端が着脱自在に接続されると共に他端が送風手段側に接続されて、該送風手段から前記おむつカップ本体内部に空気を送風する送風ホースと、前記おむつカップ本体に一端が着脱自在に接続されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾燥させる自動排泄処理装置において、前記吸引手段である吸引モータが内蔵された吸引モータハウジングの冷却風用の吐出口に、振動を吸収するゴム製の継手管路を接続させて、該ゴム製の継手管路に吸引モータおよび吸引モータハウジングの荷重を受け止める主たる支持部分としての役割を兼用させていることを特徴とする自動排泄処理装置。
【請求項５】
要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引ホースと、前記おむつカップ本体に一端が着脱自在に接続されると共に他端が送風手段側に接続されて、該送風手段から前記おむつカップ本体内部に空気を送風する送風ホースと、前記おむつカップ本体に一端が着脱自在に接続されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾燥させる自動排泄処理装置において、前記吸引手段である吸引モータが内蔵された吸引モータハウジングを、内部周囲に吸音材を施した吸引モータハウジングケースにより包囲していることを特徴とする自動排泄処理装置。
【請求項６】
要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引ホースと、前記おむつカップ本体に一端が着脱自在に接続されると共に他端が送風手段側に接続されて、該送風手段から前記おむつカップ本体内部に空気を送風する送風ホースと、前記おむつカップ本体に一端が着脱自在に接続されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾燥させる自動排泄処理装置において、前記汚水タンクの構造として、重力を利用した排泄物および洗浄後の汚水と空気の分離方式タンクの内部に仕切プレートが設けられていることを特徴とする自動排泄処理装置。
【請求項７】
要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引ホースと、前記おむつカップ本体に一端が着脱自在に接続されると共に他端が送風手段側に接続されて、該送風手段から前記おむつカップ本体内部に空気を送風する送風ホースと、前記おむつカップ本体に一端が着脱自在に接続されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾燥させる自動排泄処理装置において、前記汚水タンクの固定を解除した状態の汚水タンク収納ケースの接続口および汚水タンク本体の吸込口が、汚水吸引ホース側および汚水タンク本体側に流れ込むようにそれぞれ角度を有していることを特徴とする自動排泄処理装置。
【請求項８】
要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引ホースと、前記おむつカップ本体に一端が着脱自在に接続されると共に他端が送風手段側に接続されて、該送風手段から前記おむつカップ本体内部に空気を送風する送風ホースと、前記おむつカップ本体に一端が着脱自在に接続されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾燥させる自動排泄処理装置において、仕事風に混在している排泄物および洗浄後の汚水に含まれる水滴を除去するためのミストフィルタ本体が、前記汚水タンクに対して着脱自在に接続できる形状を有していることを特徴とする自動排泄処理装置。
【請求項９】
要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引ホースと、前記おむつカップ本体に一端が着脱自在に接続されると共に他端が送風手段側に接続されて、該送風手段から前記おむつカップ本体内部に空気を送風する送風ホースと、前記おむつカップ本体に一端が着脱自在に接続されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾燥させる自動排泄処理装置において、排泄物および洗浄後の汚水が所定の容量まで収容されたことを検知する電極センサの形状が板状であり、汚水タンク本体内部の壁面に設けられていることを特徴とする自動排泄処理装置。
【考案の詳細な説明】
【技術分野】
【０００１】  本考案は、寝たきりあるいは歩行困難な病人または要介護者が排泄する大小便、すなわち、排泄物の処理および排泄物で汚れた局部の洗浄を自動的に行なうことがができる自動排泄処理装置に関する。
【背景技術】
【０００２】  従来の自動排泄処理装置としては、例えば、特開２００２−１１３０３０号公報に記載されたものがある。この従来の技術を添付図面により説明する。図１０は自動排泄処理装置全体をブロック図で示したもので、おむつカップ本体１１と、ホースユニット１２と、汚水タンク１４と、吸引モータハウジング１５と、フィルタボックス１６と、洗浄水の供給手段としての温水タンク（図示せず）および送水ポンプ（図示せず）を備えた送水ユニット１７と、シーケンサ１８と、コントロールパネル１９により構成される。また、前記ホースユニット１２は汚水吸引ホース１２ａ、送風ホース１２ｂ、送水チューブ１２ｃおよびセンサケーブル１２ｄを収容したものである。【０００３】  前記おむつカップ本体１１は、寝たきりあるいは歩行困難な病人または要介護者の腰臀部を包囲し、おむつカバー（図示せず）を共に使用して、排泄物の処理および排泄物で汚れた局部の洗浄を行なう。【０００４】  前記おむつカップ本体１１内部には、内側面の中央部に排泄物を溜める凹部が形成されており、排泄物吸引口（図示せず）と、温風吹出口（図示せず）と、洗浄用温水の噴射ノズル（図示せず）と、排便検知センサ（図示せず）および排尿検知センサ（図示せず）が設けられている。【０００５】  前記おむつカップ本体１１には、汚水吸引ホース１２ａ、送風ホース１２ｂおよび送水チューブ１２ｃおよびセンサケーブル１２ｄの一端が、着脱自在にそれぞれ接続されている。前記汚水吸引ホース１２ａの他端は、汚水タンク１４側に着脱自在に接続されている。前記送風ホース１２ｂの他端は、吸引モータハウジング１５の冷却風の吐出口１５ｄおよびフィルタボックスの吹出口１６ｂに着脱自在にそれぞれ接続されている。前記送水チューブ１２ｃの他端は、送水ユニット１７に着脱自在に接続されている。【０００６】  前記送水ポンプ（図示せず）の作動によって、温水が温水タンク（図示せず）から導かれ、送水チューブ１２ｃを経由し、おむつカップ本体１１内部に洗浄用温水として送水される。【０００７】  前記吸引モータハウジング１５内部には、吸引モータ１５ｅが内蔵されており、この吸引モータハウジング１５の吸引口１５ａが接続管路２０を介して汚水タンク１４側に接続されている。また、吸引モータハウジング１５の吐出口１５ｂは、フィルタボックス１６の吸込口１６ａに接続管路２１を介して接続されている。【０００８】  各種センサによって前記おむつカップ本体１１内部に排泄物が検知されると、おむつカップ本体１１内部に前記洗浄用温水が送水されると共に、吸引モータ１５ｅの作動によって、接続管路２０を経由させ、汚水タンク１４内部から空気を吸引すると、汚水吸引ホース１２ａ内部に吸引力が発生し、おむつカップ本体１１内部の排泄物および洗浄後の汚水を吸引し、該排泄物および洗浄後の汚水は汚水吸引ホース１２ａを経由し、汚水タンク１４内部へ吸引および収容される。また、汚水タンク１４内部では、前記吸引された排泄物および洗浄後の汚水が仕事風に対して遠心分離される。【０００９】  前記吸引モータ１５ｅが作動することにより、おむつカップ本体１１内部から汚水吸引ホース１２ａ、汚水タンク１４、そして吸引モータ１５ｅを経由��てフィルタボックス１６、送風ホース１２ｂ、前記おむつカップ本体１１内部に渡る空気の流れが発生する。（主として循環する該空気の流れを以下「仕事風」という。）【００１０】  前記吸引モータ１５ｅの作動時には、該吸引モータ１５ｅの冷却用の吸引口１５ｃから導入された外気が、該吸引モータ１５ｅを冷却することによって吸熱し、該吸引モータ１５ｅの冷却用の吐出口１５ｄから送風ホース１２ｂへ流出する。また、前記吸引モータ１５ｅにより吸引された仕事風は、接続管路２１を経由して、フィルタボックス１６の吸込口１６ａから吸込まれ、脱臭処理されてフィルタボックスの吹出口１６ｂから送風ホース１２ｂへ流出する。従って、該送風ホース１２ｂには温風が流入し、おむつカップ１１内部には温風が送風される。【００１１】  このように、寝たきりあるいは歩行困難な病人または要介護者の腰臀部の周囲に温風が存在した状態で快適な洗浄を行なうことができる。
【考案の開示】
【考案が解決しようとする課題】
【００１２】  しかしながら、上記の背景技術では次のような課題が挙げられる。おむつカップ本体においては、洗浄用温水の噴射ノズルの洗浄能力が不十分であるために、要介護者の肛門部に排泄物が付着していることがあった。また、おむつカップ本体内部のセンサが洗浄後の水滴を誤って検知することがあった。【００１３】  吸引モータにおいては、仕事風と冷却風を送風経路上で混合させていたために、モータブラシの磨耗粉がおむつカップ本体内部に流入していた。また、吸引モータ本体の振動の伝播および運転音が非常に大きいものとなり、要介護者の周囲環境を悪化させていた。【００１４】  汚水タンクにおいては、おむつカップ本体から吸引した排泄物および洗浄後の汚水を汚水タンクに収容する際に、仕事風との分離が不十分であるために、排泄物および洗浄後の汚水が汚水タンクに回収されきれず、汚水タンクの外部へ流出していた。また、汚水タンク内部の渦流により水位が安定しないために、排泄物および洗浄後の汚水が所定の容量まで収容されたことを検知する電極センサが誤って反応していた。さらに、汚水タンクを装置本体から取り外す際に、汚水タンク周辺に排泄物および洗浄後の汚水が滴下していた。また、汚水タンクの構造が複雑であるために、日常の点検および清掃作業が非常に困難であった。【００１５】  本考案は、前記のような従来の自動排泄処理装置における問題点を解決するためになされたものであり、寝たきりあるいは歩行困難な病人または要介護者の周囲環境を含む快適性および維持管理性の向上と、安全で安定した排泄処理運転を行なうことが可能な自動排泄処理装置を提供することを目的とする。
【課題を解決するための手段】
【００１６】  上記の目的を達成するための手段として、請求項１に記載の考案では、要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引ホースと、前記おむつカップ本体に一端が着脱自在に接続されると共に他端が送風手段側に接続されて、該送風手段から前記おむつカップ本体内部に空気を送風する送風ホースと、前記おむつカップ本体に一端が着脱自在に接続されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾燥させる自動排泄処理装置において、前記おむつカップ本体の背面部側に設けられている洗浄用温水の噴射ノズルが、要介護者の肛門部の洗浄を行なうための、前記おむつカップ本体の前面部側に対して上向の噴射角度を有していることを特徴とする自動排泄処理装置を提供する。【００１７】  請求項２に記載の考案では、要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引ホースと、前記おむつカップ本体に一端が着脱自在に接続されると共に他端が送風手段側に接続されて、該送風手段から前記おむつカップ本体内部に空気を送風する送風ホースと、前記おむつカップ本体に一端が着脱自在に接続されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾燥させる自動排泄処理装置において、前記おむつカップ本体内部に設けられているセンサと排泄物吸引口との間に、センサが洗浄後の水滴を誤って検知することを防止するための、前記おむつカップ本体に対して長さ方向の凸部が設けられていることを特徴とする自動排泄処理装置を提供する。【００１８】  請求項３に記載の考案では、要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引ホースと、前記おむつカップ本体に一端が着脱自在に接続されると共に他端が送風手段側に接続されて、該送風手段から前記おむつカップ本体内部に空気を送風する送風ホースと、前記おむつカップ本体に一端が着脱自在に接続されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾燥させる自動排泄処理装置において、前記送風手段における、ファンの仕事風およびモータの冷却風の送風経路がそれぞれ完全に独立して構成されており、温風の発生手段として、電気ヒータ等の特別な加熱装置を必要としないことを特徴とする自動排泄処理装置を提供する。【００１９】  請求項４に記載の考案では、要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引ホースと、前記おむつカップ本体に一端が着脱自在に接続されると共に他端が送風手段側に接続されて、該送風手段から前記おむつカップ本体内部に空気を送風する送風ホースと、前記おむつカップ本体に一端が着脱自在に接続されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾燥させる自動排泄処理装置において、前記吸引手段である吸引モータが内蔵された吸引モータハウジングの冷却風用の吐出口に、振動を吸収するゴム製の継手管路を接続させて、該ゴム製の継手管路に吸引モータおよび吸引モータハウジングの荷重を受け止める主たる支持部分としての役割を兼用させていることを特徴とする自動排泄処理装置を提供する。【００２０】  請求項５に記載の考案では、要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引ホースと、前記おむつカップ本体に一端が着脱自在に接続されると共に他端が送風手段側に接続されて、該送風手段から前記おむつカップ本体内部に空気を送風する送風ホースと、前記おむつカップ本体に一端が着脱自在に接続されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾��させる自動排泄処理装置において、前記吸引手段である吸引モータが内蔵された吸引モータハウジングを、内部周囲に吸音材を施した吸引モータハウジングケースにより包囲していることを特徴とする自動排泄処理装置を提供する。【００２１】  請求項６に記載の考案では、要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引ホースと、前記おむつカップ本体に一端が着脱自在に接続されると共に他端が送風手段側に接続されて、該送風手段から前記おむつカップ本体内部に空気を送風する送風ホースと、前記おむつカップ本体に一端が着脱自在に接続されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾燥させる自動排泄処理装置に要介護者の局部を洗浄および乾燥させる自動排泄処理装置において、前記汚水タンクの構造として、重力を利用した排泄物および洗浄後の汚水と空気の分離方式タンクの内部に仕切プレートが設けられていることを特徴とする自動排泄処理装置を提供する。【００２２】  請求項７に記載の考案では、要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引ホースと、前記おむつカップ本体に一端が着脱自在に接続されると共に他端が送風手段側に接続されて、該送風手段から前記おむつカップ本体内部に空気を送風する送風ホースと、前記おむつカップ本体に一端が着脱自在に接続されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾燥させる自動排泄処理装置において、前記汚水タンクの固定を解除した状態の汚水タンク収納ケースの接続口および汚水タンク本体の吸込口が、汚水吸引ホース側および汚水タンク本体側に流れ込むようにそれぞれ角度を有していることを特徴とする自動排泄処理装置を提供する。【００２３】  請求項８に記載の考案では、要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引��ースと、前記おむつカップ本体に一端が着脱自在に接続されると共に他端が送風手段側に接続されて、該送風手段から前記おむつカップ本体内部に空気を送風する送風ホースと、前記おむつカップ本体に一端が着脱自在に接続されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾燥させる自動排泄処理装置において、仕事風に混在している排泄物および洗浄後の汚水に含まれる水滴を除去するためのミストフィルタ本体が、前記汚水タンクに対して着脱自在に接続できる形状を有していることを特徴とする自動排泄処理装置を提供する。【００２４】  請求項９に記載の考案では、要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引ホースと、前記おむつカップ本体に一端が着脱自在に接続されると共に他端が送風手段側に接続されて、該送風手段から前記おむつカップ本体内部に空気を送風する送風ホースと、前記おむつカップ本体に一端が着脱自在に接続されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾燥させる自動排泄処理装置において、排泄物および洗浄後の汚水が所定の容量まで収容されたことを検知する電極センサの形状が板状であり、汚水タンク本体内部の壁面に設けられていることを特徴とする自動排泄処理装置を提供する。
【考案の効果】
【００２５】  請求項１に記載の考案では、要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引ホースと、前記おむつカップ本体に一端が着脱自在に接続されると共に他端が送風手段側に接続されて、該送風手段から前記おむつカップ本体内部に空気を送風する送風ホースと、前記おむつカップ本体に一端が着脱自在に接続されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾燥させる自動排泄処理装置において、前記おむつカップ本体の背面部側に設けられている洗浄用温水の噴射ノズルが、要介護者の肛門部の洗浄を行なうための、前記おむつカップ本体の前面部側に対して上向の噴射角度を有していることを特徴とする自動排泄処理装置であるので、これにより、排泄物で汚れた要介護者の肛門部の洗浄を確実に行なうことができる。【００２６】  請求項２に記載の考案では、要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引ホースと、前記おむつカップ本体に一端が着脱自在に接続されると共に他端が送風手段側に接続されて、該送風手段から前記おむつカップ本体内部に空気を送風する送風ホースと、前記おむつカップ本体に一端が着脱自在に接続されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾燥させる自動排泄処理装置において、前記おむつカップ本体内部に設けられているセンサと排泄物吸引口との間に、センサが洗浄後の水滴を誤って検知することを防止するための、前記おむつカップ本体に対して長さ方向の凸部が設けられていることを特徴とする自動排泄処理装置であるので、これにより、センサが洗浄後の水滴を誤って検知することが確実に防止できる。【００２７】  請求項３に記載の考案では、要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引ホースと、前記おむつカップ本体に一端が着脱自在に接続されると共に他端が送風手段側に接続されて、該送風手段から前記おむつカップ本体内部に空気を送風する送風ホースと、前記おむつカップ本体に一端が着脱自在に接続されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾燥させる自動排泄処理装置において、前記送風手段における、ファンの仕事風およびモータの冷却風の送風経路がそれぞれ完全に独立して構成されており、温風の発生手段として、電気ヒータ等の特別な加熱装置を必要としないことを特徴とする自動排泄処理装置であるので、これにより、モータブラシの磨耗粉がおむつカップ本体内部に流入することを防止できると共に、装置を安価に製造することができる。【００２８】  請求項４に記載の考案では、要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引ホースと、前記おむつカップ本体に一端が着脱自在に接続されると共に他端が送風手段側に接続されて、該送風手段から前記おむつカップ本体内部に空気を送風する送風ホースと、前記おむつカップ本体に一端が着脱自在に接続されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾燥させる自動排泄処理装置において、前記吸引手段である吸引モータが内蔵された吸引モータハウジングの冷却風用の吐出口に、振動を吸収するゴム製の継手管路を接続させて、該ゴム製の継手管路に吸引モータおよび吸引モータハウジングの荷重を受け止める主たる支持部分としての役割を兼用させていることを特徴とする自動排泄処理装置であるので、これにより、吸引モータ本体の振動の伝播を大幅に低減させることができ、寝たきりあるいは歩行困難な病人または要介護者の周囲環境の快適性を向上させることができる。【００２９】  請求項５に記載の考案では、要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引ホースと、前記おむつカップ本体に一端が着脱自在に接続されると共に他端が送風手段側に接続されて、該送風手段から前記おむつカップ本体内部に空気を送風する送風ホースと、前記おむつカップ本体に一端が着脱自在に接��されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾燥させる自動排泄処理装置において、前記吸引手段である吸引モータが内蔵された吸引モータハウジングを、内部周囲に吸音材を施した吸引モータハウジングケースにより包囲していることを特徴とする自動排泄処理装置であるので、これにより、吸引モータ本体の運転音を大幅に低減させることができ、寝たきりあるいは歩行困難な病人または要介護者の周囲環境の快適性を向上させることができる。【００３０】  請求項６に記載の考案では、要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引ホースと、前記おむつカップ本体に一端が着脱自在に接続されると共に他端が送風手段側に接続されて、該送風手段から前記おむつカップ本体内部に空気を送風する送風ホースと、前記おむつカップ本体に一端が着脱自在に接続されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾燥させる自動排泄処理装置に要介護者の局部を洗浄および乾燥させる自動排泄処理装置において、前記汚水タンクの構造として、重力を利用した排泄物および洗浄後の汚水と空気の分離方式タンクの内部に仕切プレートが設けられていることを特徴とする自動排泄処理装置であるので、これにより、汚水タンクの吸込口から流入してきた質量が大きい排泄物および洗浄後の汚水と質量が小さい仕事風の空気とを重力によって効率良く分離し、汚水タンク内部に排泄物および洗浄後の汚水のみを確実に残留させることができる。さらに、汚水タンク内部の水位を安定させることができるため、排泄物および洗浄後の汚水が所定の容量まで収容されたことを検知する電極センサが誤って反応することなく、安定した排泄処理運転を行なうことができると共に、汚水タンクの機構が大幅に単純化されるため、日常の点検および清掃作業が極めて容易になる。【００３１】  請求項７に記載の考案では、要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引ホースと、前記おむつカップ本体に一端が着脱自在に接続されると共に他端が送���手段側に接続されて、該送風手段から前記おむつカップ本体内部に空気を送風する送風ホースと、前記おむつカップ本体に一端が着脱自在に接続されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾燥させる自動排泄処理装置において、前記汚水タンクの固定を解除した状態の汚水タンク収納ケースの接続口および汚水タンク本体の吸込口が、汚水吸引ホース側および汚水タンク本体側に流れ込むようにそれぞれ角度を有していることを特徴とする自動排泄処理装置であるので、これにより、汚水タンク周辺への排泄物および洗浄後の汚水の滴下を防止することができ、日常の点検および清掃作業が極めて容易になる。【００３２】  請求項８に記載の考案では、要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引ホースと、前記おむつカップ本体に一端が着脱自在に接続されると共に他端が送風手段側に接続されて、該送風手段から前記おむつカップ本体内部に空気を送風する送風ホースと、前記おむつカップ本体に一端が着脱自在に接続されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾燥させる自動排泄処理装置において、仕事風に混在している排泄物および洗浄後の汚水に含まれる水滴を除去するためのミストフィルタ本体が、前記汚水タンクに対して着脱自在に接続できる形状を有していることを特徴とする自動排泄処理装置であるので、これにより、日常の点検および清掃作業が極めて容易になり、介護者の作業負担の軽減を大幅に図ることができる。【００３３】  請求項９に記載の考案では、要介護者の腰臀部を包囲するおむつカップ本体と、該おむつカップ本体に一端が着脱自在に接続されると共に他端が汚水タンク側に接続されて、前記おむつカップ本体内部の排泄物および洗浄後の汚水を吸引手段の吸引力により前記汚水タンク側に吸引する汚水吸引ホースと、前記おむつカップ本体に一端が着脱自在に接続されると共に他端が送風手段側に接続されて、該送風手段から前記おむつカップ本体内部に空気を送風する送風ホースと、前記おむつカップ本体に一端が着脱自在に接続されると共に他端が給水手段側に接続されて、該給水手段から前記おむつカップ本体内部に洗浄水を送水する送水ホースを備えており、前記おむつカップ本体内部に排泄物が溜まると、前記おむつカップ本体内部のセンサがこれを検知して、前記吸引手段、前記送風手段および前記給水手段が作動し、定められた一定の時間を掛けて排泄物および洗浄後の汚水を吸引し、前記おむつカップ本体内部と要介護者の局部を洗浄および乾燥させる自動排泄処理装置において、排泄物および洗浄後の汚水が所定の容量まで収容されたことを検知する電極センサの形状が板状であり、汚水タンク本体内部の壁面に設けられていることを特徴とする自動排泄処理装置であるので、これにより、日常の点検および清掃作業が極めて容易になり、介護者の作業負担の軽減を大幅に図ることができる。
【考案を実施するための最良の形態】
【００３４】  本考案の実施の形態について、添付図面に基づき説明する。図中に記号１で示す構成はおむつカップ本体である。該おむつカップ本体１は、寝たきりあるいは歩行困難な病人または要介護者の腰臀部を包囲するものであり、その内部には、排泄物を受け止めるための凹部１ｅが、装着した際に要介護者の股部が位置する中央部に、要介護者の股部を包囲するように長さ方向に沿って形成されている。また、おむつカップ本体１の前面部１ａと背面部１ｂとのほぼ境界部分であり、おむつカップ本体１の中央部となる位置には、凹部１ｅに溜まった排泄物をおむつカップ本体１外部に排出するための貫通口である排泄物吸引口１ｋが設けられている。さらに、前記背面部１ｂ側の凹部１ｅの端部であって、排泄物吸引口１ｋの入口側と対向する位置には、送風ホース２ｂより導入された温風を送風する温風吹出口１ｃと、送水チューブ２ｃより導入された洗浄用温水を送水する噴射ノズル１ｄが設けられている。また、前記前面部１ａ側の凹部１ｅには、要介護者の局部に対する温水洗浄を行なうための噴射ノズル１ｆが設けられている。【００３５】  前記おむつカップ本体１内部には、排便検知センサ１ｈおよび排尿検知センサ１ｊが設けられている。前記排便検知センサ１ｈは、要介護者が排泄した大便を検知するためのフォトリフレクタと、おむつカップ本体１の離脱を検知するためのＣｄＳセルを使用したセンサであり、洗浄用温水の噴射ノズル１ｄの近傍に設けられている。ＣｄＳセルにつて記述すると、該ＣｄＳセルはおむつカップ本体１が要介護者の腰臀部から離脱されたことを照度変化によって検知し、当該装置の運転を停止させることで、おむつカップ本体１が離脱された状態で洗浄用温水が誤って噴射されないようにしている。また、前記排尿検知センサ１ｊは、要介護者が排泄した小便を検知するためのセンサである。該センサは、例えば、３．５Ｖｐ−ｐの交流電圧をを加えた一対の電極により構成されており、該電極間に流れる電流は数μＡ程度と極めて微少であるため、要介護者には全く無害である。【００３６】  前記おむつカップ本体１は、排便検知センサ１ｈおよび排尿検知センサ１ｊが接続されたセンサカプラ１ｇからセンサケーブル２ｄを介して、装置本体３のシーケンサ９に接続されている。また、該おむつカップ本体１は、汚水吸引ホース２ａを介して装置本体３の汚水タンクユニット４に接続され、また、送風ホース２ｂを介して装置本体３のリターンボックス７に接続され、さらに、洗浄用温水の送水チューブ２ｃを介して装置本体３の送水ユニット８に接続されている。また、ホースユニット２は汚水吸引ホース２ａ、送風ホース２ｂ、送水チューブ２ｃおよびセンサケーブル２ｄを収容したものである。【００３７】  特に、本実施形態においては、前記おむつカップ本体１の背面部１ｂ側に設けられている洗浄用温水の噴射ノズル１ｄに、前面部１ａ側に対して上向の噴射角度θを設けることにより、排泄物で汚れた要介護者の肛門部の洗浄を確実に行なえると共に、前記排便検知センサ１ｈと排泄物吸引口１ｋとの間に長さ方向の凸部１ｉを設けることにより、センサが洗浄後の水滴を誤って検知することが確実に防止できる。従って、前記形態により、寝たきりあるいは歩行困難な病人または要介護者の腰臀部周りの環境を快適に維持させることができる。【００３８】  次に、装置本体３を説明する。該装置本体３は、前記おむつカップ本体１に接続されると共に、おむつカップ本体１内部に洗浄用温水を送水し、かつ該おむつカップ本体１内部の排泄物および洗浄後の汚水を吸引する装置であり、汚水タンクユニット４と、フィルタボックス５と、吸引モータハウジング６と、リターンボックス７と、洗浄水の供給手段としての温水タンク８ｃおよび送水ポンプ８ｅを備えた送水ユニット８と、シーケンサ９と、コントロールパネル１０により構成される。【００３９】  前記装置本体３の外観は、キャスタ付きの筐体形状を有しており、筐体の外面には前記コントロールパネル１０が装着されている。そして、該コントロールパネル１０は、スタートスイッチ部分１０ａと、ストップスイッチ部分１０ｂと、各機能の異常内容番号、洗浄水の補充状態および汚水タンク本体４ａの満水状態を表示する表示パネル部分１０ｃと、排便および排尿処理回数の表示切替スイッチ部分１０ｄと、洗浄用温水の温度設定スイッチ部分１０ｅと、携帯電話の通知設定スイッチ部分１０ｆを有している。【００４０】  前記リターンボックス７は、接続管路７ｂを介して吸引モータ６ｅが内蔵された吸引モータハウジング６の吐出口６ｂに接続され、吸引モータハウジング６の吸引口６ａはフィルタボックス５の吹出口５ｂに接続されている。前記リターンボックス７内部には、小型軸流ファン７ａが内蔵されており、当該装置の運転が停止している待機時に、該小型軸流ファン７ａを間欠的に作動させることにより、前記おむつカップ本体１内部の蒸れを防止すると共に、おむつカップ本体１内部に負圧の状態を形成し、おむつカップ本体１外部への臭気の流出を抑制している。【００４１】  前記吸引モータハウジング６には、おむつカップ本体１内部の排泄物および洗浄後の汚水を吸引するための吸引力を発生させる吸引モータ６ｅが内蔵されており、フィルタボックス５から仕事風を吸引する仕事風用の吸引口６ａと、該仕事風用の吸引口６ａから吸引した仕事風を接続管路７ｂを介してリターンボックス７に吐出する仕事風用の吐出口６ｂと、該吸引モータ６ｅを冷却するための外気を導入する冷却風用の吸引口６ｃと、該冷却風用の吸引口６ｃから吸引した外気を吐出する冷却風用の吐出口６ｄが備えてられている。すなわち、仕事風の送風手段は、吸引手段としての吸引モータ６ｅの排気部分である仕事風用の吐出口６ｂにより構成されている。【００４２】  特に、本実施形態においては、仕事風および冷却風の送風経路がそれぞれ完全に独立して構成されており、前記仕事風用の吐出口６ｂから吐出される空気は、吸引モータ６ｅの仕事風室側からのみ発生する熱によって昇温され、接続管路７ｂからリターンボックス７および送風ホース２ｂを経由して、前記冷却風と混合されることなく、おむつカップ本体１内部に送風される。従って、前記吸引モータ６ｅおよび装置本体３の送風経路において、仕事風と冷却風を完全に遮断させることにより、モータブラシの磨耗粉がおむつカップ本体１内部に流入することを防止すると共に、温風の発生手段としても、電気ヒータ等の特別な加��装置を必要とすることなく、装置を安価に製造することができる。【００４３】  また、本実施形態においては、前記吸引モータ６ｅが内蔵された吸引モータハウジング６の冷却風用の吐出口６ｄに、振動を吸収するゴム製の継手管路６ｇを接続させて、該ゴム製の継手管路６ｇに、吸引モータ６ｅおよび吸引モータハウジング６の荷重を受け止める主たる支持部分としての役割を兼用させると共に、内部周囲に吸音材６ｉを施した吸引モータハウジングケース６ｆにて該吸引モータハウジング６を包囲することにより、前記装置本体３の運転音を大幅に低減させることができ、寝たきりあるいは歩行困難な病人または要介護者の周囲環境の快適性を向上させることができる。【００４４】  次に、汚水タンクユニット４を説明する。該汚水タンクユニット４は、前記おむつカップ本体１内部から、汚水吸引ホース２ａを介して送られてきた排泄物および洗浄後の汚水を収容するためのものである。前記汚水タンクユニット４は、汚水タンク本体４ａと該汚水タンク本体４ａを収納する汚水タンク収納ケース４ｇにより構成されており、汚水タンク本体４ａには、該汚水タンク収納ケース４ｇの接続口４ｈを介して汚水吸引ホース２ａに接続された吸込口４ｂと、該吸込口４ｂから送られてきた仕事風をフィルタボックス５に送り込む排出口４ｃと、該仕事風に混在している排泄物および洗浄後の汚水に含まれる水滴を除去するミストフィルタ４ｄと、該排泄物および洗浄後の汚水が所定の容量まで収容されたことを検知する電極センサ４ｅが備えられている。【００４５】  特に、本実施形態においては、汚水タンク本体４ａ内部に仕切プレート４ｆが設けられており、該汚水タンク本体４ａの吸込口４ｂから流入してきた質量が大きい排泄物および洗浄後の汚水と質量が小さい仕事風の空気とを重力によって効率良く分離し、汚水タンク本体４ａ内部に該排泄物および洗浄後の汚水のみを確実に残留させることができる。加えて、重力を利用した分離方式タンクにより、汚水タンク本体４ａ内部の水位を安定させることができるため、前期電極センサ４ｅが誤って反応することなく、安定した排泄処理運転を行なうことができると共に、汚水タンク本体４ａの機構が大幅に単純化されるため、日常の点検および清掃作業が極めて容易になる。【００４６】  また、本実施形態においては、前記汚水タンク本体４ａの固定を解除した状態の汚水タンク収納ケース４ｇの接続口４ｈおよび汚水タンク本体４ａの吸込口４ｂに、汚水吸引ホース２ａ側および汚水タンク本体４ａ側に流れ込むようにそれぞれ角度を設けることにより、汚水タンク本体４ａ周辺への排泄物および洗浄後の汚水の滴下を防止することができると共に、前記ミストフィルタ４ｄ本体が汚水タンク本体４ａに対して着脱自在に接続できる形状を有すること、さらに、前記電極センサ４ｅの形状を板状にして汚水タンク本体４ａ内部の壁面に設けることにより、日常の点検および清掃作業が極めて容易になり、介護者の作業負担の軽減を大幅に図ることができる。【００４７】  次に、送水ユニット８を説明する。該送水ユニット８は、前記おむつカップ本体１内部に洗浄用温水を供給するためのものである。前記送水ユニット８は、主として洗浄水カートリッジタン���８ａと、該洗浄水カートリッジタンク８ａ内部の洗浄水が所定の容量まで低下したことを検出する補助タンク８ｂと、洗浄水の加熱および保温を行なう温水タンク８ｃと、該温水タンクに洗浄水を補充すると共に洗浄用温水を送水する送水ポンプ８ｅと、該洗浄用温水の送水時に作動する洗浄弁８ｆと、吸引処理工程の終了前に送水チューブ２ｃ内部の残水を除去するために作動する水抜弁８ｈと、該洗浄用温水の温度を検出する安全タンク８ｇにより構成されている。【００４８】  前記温水タンク８ｃには、洗浄水を加熱および保温するための電気ヒータ８ｄと、該温水タンク８ｃ内部の洗浄用温水を所定の温度に調節するサーミスタ（図示せず）と、該温水タンク８ｃ内部の洗浄用温水が所定の容量まで低下したことを検知する水位センサ（図示せず）が備えられている。【００４９】  前記温水タンク８ｃに貯留された洗浄用温水は、前記送水ポンプ８ｅにより排出口８ｉから前記おむつカップ本体１内部に送水されるが、おむつカップ本体１内部に送水されるまでの経路において、洗浄用温水に数度の温度降下が生じるため、該温水クンク８ｃ内部の洗浄用温水の温度は、おむつカップ本体１内部での噴射温度より高めに設定すると共に、該温水タンク８ｃ内部に貯留された洗浄用温水の保温温度にある程度の設定範囲を持たせる。【００５０】  次に、シーケンサ９を説明する。該シーケンサ９には、前記排便検知センサ１ｈ、排尿検知センサ１ｊ、汚水タンク本体４ａ内部に排泄物および洗浄後の汚水が所定の容量まで収容されたことを検知する電極センサ４ｅ、温水タンク８ｃの各種センサ、コントロールパネル１０のスタートスイッチ部分１０ａおよびストップスイッチ部分１０ｂからの入力信号に応じて、前記吸引モータ６ｅ、送水ポンプ８ｅおよび電気ヒータ８ｄ等を制御するプログラムが書き込まれたワンチップマイコン（図示せず）と、該ワンチップマイコンの入出力信号を処理するＩ／Ｏインタフェイス（図示せず）と、各機能の異常内容番号等の表示処理を行なうドライバ回路（図示せず）が備えられている。【００５１】  次に、コントロールパネル１０を説明する。該コントロールパネル１０は、主として介護者等が操作するものとして、自動運転の作動および待機状態にするためのスタートスイッチ部分１０ａと、自動運転を停止状態にするためのストップスイッチ部分１０ｂと、各機能の異常内容番号、洗浄水の補充状態および汚水タンク本体４ａの満水状態を表示する表示パネル部分１０ｃと、排便および排尿処理回数の表示切替スイッチ部分１０ｄと、洗浄用温水の温度設定スイッチ部分１０ｅと、携帯電話の通知設定スイッチ部分１０ｆを有している。
【図面の簡単な説明】
【００５２】
【図１】  本考案に係る自動排泄処理装置の一実施形態の概略の全体ブロック図である。
【図２】  本考案に係る自動排泄処理装置の一実施形態のおむつカップ本体の斜視図である。
【図３】  本考案に係る自動排泄処理装置の一実施形態のおむつカップ本体の縦断面図である。
【図４】  本考案に係る自動排泄処理装置の一実施形態の吸引モータハウジングの斜視図である。
【図５】  本考案に係る自動排泄処理装置の一実施形態の吸引モータハウジングケースの斜視図である。
【図６】  本考案に係る自動排泄処理装置の一実施形態の吸引モータハウジングおよび吸引モータハウジングケースの斜視図である。
【図７】  本考案に係る自動排泄処理装置の一実施形態の汚水タンク本体の斜視図である。
【図８】  本考案に係る自動排泄処理装置の一実施形態の汚水タンク収納ケースの斜視図である。
【図９】  本考案に係る自動排泄処理装置の一実施形態の汚水タンクユニットの斜視図である。
【図１０】  従来の例に係る自動排泄処理装置の概略の全体ブロック図である。
【符号の説明】
【００５３】１      おむつカップ本体
１ａ    前面部
１ｂ    背面部
１ｃ    温風吹出口
１ｄ    噴射ノズル
１ｅ    凹部
１ｆ    噴射ノズル
１ｇ    センサカプラ
１ｈ    排便検知センサ
１ｉ    凸部
１ｊ    排尿検知センサ
１ｋ    排泄物吸引口
２      ホースユニット
２ａ    汚水吸引ホース
２ｂ    送風ホース
２ｃ    送水ホース
２ｄ    センサケーブル
３      装置本体
４      汚水タンクユニット
４ａ    汚水タンク本体
４ｂ    吸込口
４ｃ    排出口
４ｄ    ミストフィルタ
４ｅ    電極センサ
４ｆ    仕切プレート
４ｇ    汚水タンク収納ケース
４ｈ    接続口
５      フィルタボックス
５ａ    吸込口
５ｂ    吹出口
６      吸引モータハウジング
６ａ    仕事風用の吸引口
６ｂ    仕事風用の吐出口
６ｃ    冷却風用の吸引口
６ｄ    冷却風用の吐出口
６ｅ    吸引モータ
６ｆ    吸引モータハウジングケース
６ｇ    継手管路
６ｈ    固定金具
６ｉ    吸音材
６ｊ    ゴム製補助接続部材
７      リターンボックス
７ａ    小型軸流ファン
７ｂ    接続管路
８      送水ユニット
８ａ    洗浄水カートリッジタンク
８ｂ    補助タンク
８ｃ    温水タンク
８ｄ    電気ヒータ
８ｅ    送水ポンプ
８ｆ    洗浄弁
８ｇ    安全タンク
８ｈ    水抜弁
８ｉ    排出口
９      シーケンサ
１０    コントロールパネル
１０ａ  スタートスイッチ部分
１０ｂ  ストップスイッチ部分
１０ｃ  表示パネル部分
１０ｄ  表示切替スイッチ部分
１０ｅ  温度設定スイッチ部分
１０ｆ  通知設定スイッチ部分
１１    おむつカップ本体
１２    ホースユニット
１２ａ  汚水吸引ホース
１２ｂ  送風ホース
１２ｃ  送水ホース
１２ｄ  センサケーブル
１３    装置本体
１４    汚水タンク
１５    吸引モータハウジング
１５ａ  仕事風用の吸引口
１５ｂ  仕事風用の吐出口
１５ｃ  冷却風用の吸引口
１５ｄ  冷却風用の吐出口
１５ｅ  吸引モータ
１６    フィルタボックス
１６ａ  吸込口
１６ｂ  吹出口
１７    送水ユニット
１８    シーケンサ
１９    コントロールパネル
【図１】
0003144371.tif 000003
【図２】
0003144371.tif 000004
【図３】
0003144371.tif 000005
【図４】
0003144371.tif 000006
【図５】
0003144371.tif 000007
【図６】
0003144371.tif 000008
【図７】
0003144371.tif 000009
【図８】
0003144371.tif 000010
【図９】
0003144371.tif 000011
【図１０】
0003144371.tif 000012